【手続補正書】
【提出日】平成27年7月22日(2015.7.22)
【手続補正１】
【補正対象書類名】特許請求の範囲
【補正対象項目名】全文
【補正方法】変更
【補正の内容】
【特許請求の範囲】
【請求項１】
人流調査支援システムであって、
複数のコンピュータに計算を分散する分散処理プラットフォームと、
人流分布の仮説データから人流分布を推定した人流分布データを配信する機能を持った人流分布配信システムと、
人流のリアルタイムの計測データを計測する人流計測器と
を備え、
前記人流分布配信システムは、前記分散処理プラットフォームを用いて、
人流の変化を表現する人流モデルにもとづき前記仮説データを複数生成し、
前記人流モデルに基づくひとつ又は複数の前記仮説データの時間発展処理を、時空間索引を付与しながら計算し、
前記人流計測器から前記計測データを入力し、
前記計測データを含む一つまたは複数の時空間索引を算出し、当該時空間索引と合致する前記仮説データを参照し、計測データと比較することにより前記仮説データの適合性を評価し、当該適合性にもとづき前記人流分布データを推定することにより、リアルタイムの前記人流分布データを得て、
前記人流分布データを人流分布推定結果保存部に保存する
ことを特徴とする人流調査支援システム。
【請求項２】
請求項１に記載の人流調査支援システムであって、
前記人流分布配信システムは、
アプリケーションから要求された人流分布の領域及び時間の範囲に基づき、時空間索引を求め、
前記人流分布推定結果保存部から、前記時空間索引で特定された時空間領域に関する前記人流分布データを取得し、
取得した前記人流分布データを前記アプリケーションに配信する
ことを特徴とする人流調査支援システム。
【請求項３】
請求項２に記載の人流調査支援システムであって、
前記アプリケーションは、前記人流分布配信システムから配信された前記人流分布データを、表示部に表示及び／又は記憶部に記憶することを特徴とする人流調査支援システム。
【請求項４】
請求項１に記載の人流調査支援システムであって、
前記人流分布配信システムは、
前記分散処理プラットフォームに対して、
人流分布の前記仮説データを生成させる指令と、
時空間索引の情報を含み、前記仮説データの時間発展を事前に定められた前記人流モデルに従って算定させる指令と、
前記仮説データと、前記計測データとの照合により、両データの適合性を評価させる指令と、
を送ることを特徴とする人流調査支援システム。
【請求項５】
請求項１に記載の人流調査支援システムであって、
前記人流分布配信システムが用いる前記時空間索引は、時空間領域を格子状に分割したものであることを特徴とする人流調査支援システム。
【請求項６】
請求項１に記載の人流調査支援システムであって、
前記人流分布配信システムは、仮説生成処理部を備え、
前記仮説生成処理部は、
時空間索引の情報を用いることにより、前記分散処理プラットフォームでの計算において、複数の前記仮説データ上の人の位置に前記時空間索引を付与し、
複数の前記仮説データを人ごとに分割し、同一の前記人流モデルに従う人に関する人流分布の推定計算処理を同一のコンピュータに割り当てて、前記時空間索引を使用することで実行することを特徴とする人流調査支援システム。
【請求項７】
請求項１に記載の人流調査支援システムであって、
前記人流分布配信システムは、仮説生成処理部を備え、
前記仮説生成処理部は、前記仮説データの中から前記計測データとの適合性が低い仮説データを削除し、適合性が高い仮説データの複製を作る人流仮説生成処理を実行することを特徴とする人流調査支援システム。
【請求項８】
請求項７に記載の人流調査支援システムであって、
前記仮説生成処理部は、さらに、
人流モデルに規定された確率に従って人を移動する処理を行うことにより、各仮説データがそれぞれの人流モデルに従って時間発展させ、時間発展した時刻に対応する前記計測データを得て、
適合性により再び仮説データの削除又は複製を実行して、前記計測データに適合する仮説データから派生した仮説データを残し続けること
により、全数調査によって構築された人流モデルと、リアルタイムな計測データとが融合した人流分布データを得るための人流仮説時間発展処理を実行することを特徴とする人流調査支援システム。
【請求項９】
請求項１に記載の人流調査支援システムであって、
前記人流分布配信システムは、仮説評価部を備え、
前記仮説評価部は、
複数の前記仮説データの集合に対し、計測データと照合をして適合度指標を算出し、適合度指標を含む仮説評価データを生成することを前記分散処理プラットフォームに実行させ、前記分散処理プラットフォームから返送された前記仮説評価データを仮説評価保存部に保存する人流仮説評価処理と、
前記仮説評価保存部に記憶された前記仮説評価データを用いて人流分布を推定して前記人流分布データを生成し、前記人流分布データを前記人流分布推定結果保存部に格納する人流分布算出処理
を実行することを特徴とする人流調査支援システム。
【請求項１０】
請求項１に記載の人流調査支援システムであって、
前記人流分布配信システムは、
アプリケーションから要求された人流分布の領域及び時間の範囲に基づき、時空間索引を求め、
前記時空間索引で定められる時空間領域に限定して格子状領域内の人口密度を計算して、人流分布データを作成し、
前記格子状領域内の人口密度として、前記時空間索引毎に人流分布データを前記アプリケーションに表示する及び／又は記憶する
ことを特徴とする人流調査支援システム。
【請求項１１】
請求項１に記載の人流調査支援システムであって、
前記人流計測器は、測位機能を搭載した移動体端末であり、
前記人流分布配信システムは、時空間索引を用いて、評価対象領域を前記人流計測器の位置の周囲に限定することを特徴とする人流調査支援システム。
【請求項１２】
請求項１に記載の人流調査支援システムであって、
前記人流分布配信システムは、
人流分布の仮説における人口密度に応じて、前記時空間索引で定められる時空間領域の広さを増減することを特徴とする人流調査支援システム。
【請求項１３】
請求項１２に記載の人流調査支援システムであって、
前記人流分布配信システムは、データ数が閾値を超えたとき領域分割を行い、データ数が閾値を下回ったとき領域統合を行うことを特徴とする人流調査支援システム。
【請求項１４】
請求項１に記載の人流調査支援システムであって、
前記人流計測器は、位置が予め定められており、
前記人流分布配信システムは、前記人流計測器の位置により予め定められた計測対象領域に基づく前記時空間索引で限定された時空間領域に関する人流分布データを作成することを特徴とする人流調査支援システム。
【請求項１５】
人流調査支援システムを用いた人流調査支援方法であって、
前記人流調査支援システムは、
複数のコンピュータに計算を分散する分散処理プラットフォームと、
人流分布の仮説データから人流分布を推定した人流分布データを配信する機能を持った人流分布配信システムと、
人流のリアルタイムの計測データを計測する人流計測器と
を備え、
前記人流分布配信システムは、前記分散処理プラットフォームを用いて、
人流の変化を表現する人流モデルにもとづき前記仮説データを複数生成し、
前記人流モデルに基づくひとつ又は複数の前記仮説データの時間発展処理を、時空間索引を付与しながら計算し、
前記人流計測器から前記計測データを入力し、
前記計測データを含む一つまたは複数の時空間索引を算出し、当該時空間索引と合致する前記仮説データを参照し、計測データと比較することにより前記仮説データの適合性を評価し、当該適合性にもとづき前記人流分布データを推定することにより、リアルタイムの前記人流分布データを得て、
前記人流分布データを人流分布推定結果保存部に保存する
ことを特徴とする人流調査支援方法。
【手続補正２】
【補正対象書類名】明細書
【補正対象項目名】０００７
【補正方法】変更
【補正の内容】
【０００７】
本発明の第１の解決手段によると、
人流調査支援システムであって、
複数のコンピュータに計算を分散する分散処理プラットフォームと、
人流分布の仮説データから人流分布を推定した人流分布データを配信する機能を持った人流分布配信システムと、
人流のリアルタイムの計測データを計測する人流計測器と
を備え、
前記人流分布配信システムは、前記分散処理プラットフォームを用いて、
人流の変化を表現する人流モデルにもとづき前記仮説データを複数生成し、
前記人流モデルに基づくひとつ又は複数の前記仮説データの時間発展処理を、時空間索引を付与しながら計算し、
前記人流計測器から前記計測データを入力し、
前記計測データを含む一つまたは複数の時空間索引を算出し、当該時空間索引と合致する前記仮説データを参照し、計測データと比較することにより前記仮説データの適合性を評価し、当該適合性にもとづき前記人流分布データを推定することにより、リアルタイムの前記人流分布データを得て、
前記人流分布データを人流分布推定結果保存部に保存する
ことを特徴とする人流調査支援システムが提供される。
【手続補正３】
【補正対象書類名】明細書
【補正対象項目名】０００８
【補正方法】変更
【補正の内容】
【０００８】
本発明の第２の解決手段によると、
人流調査支援システムを用いた人流調査支援方法であって、
前記人流調査支援システムは、
複数のコンピュータに計算を分散する分散処理プラットフォームと、
人流分布の仮説データから人流分布を推定した人流分布データを配信する機能を持った人流分布配信システムと、
人流のリアルタイムの計測データを計測する人流計測器と
を備え、
前記人流分布配信システムは、前記分散処理プラットフォームを用いて、
人流の変化を表現する人流モデルにもとづき前記仮説データを複数生成し、
前記人流モデルに基づくひとつ又は複数の前記仮説データの時間発展処理を、時空間索引を付与しながら計算し、
前記人流計測器から前記計測データを入力し、
前記計測データを含む一つまたは複数の時空間索引を算出し、当該時空間索引と合致する前記仮説データを参照し、計測データと比較することにより前記仮説データの適合性を評価し、当該適合性にもとづき前記人流分布データを推定することにより、リアルタイムの前記人流分布データを得て、
前記人流分布データを人流分布推定結果保存部に保存する
ことを特徴とする人流調査支援方法が提供される。